【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
無線通信のための方法であって、
第１のラジオ・アクセス技術（ＲＡＴ）と第２のＲＡＴとの通信間の干渉を識別することと、ここで、前記第１のＲＡＴは、ロング・ターム・イボリューション（ＬＴＥ）を備え、前記第２のＲＡＴは、Ｗｉ−Ｆｉダイレクト・モードで動作する無線ローカル・エリア・ネットワークを備える、
前記第１のＲＡＴの通信のためのフレーム・パターン・タイミングを決定することと、
前記第１のＲＡＴの通信のためのＬＴＥサブフレーム構成を決定することと、
前記第１のＲＡＴの通信のための前記フレーム・パターン・タイミングと、前記ＬＴＥサブフレーム構成とに少なくとも部分的に基づいて、アブセンス通知機能のパターンを決定することと、
前記アブセンス通知機能のパターンに基づいて、前記第２のＲＡＴの通信のための周期的なスリープ／アウェイク・パターンを決定することと、
前記第１のＲＡＴの通信のための前記フレーム・パターン・タイミングを、前記第２のＲＡＴの通信のための前記周期的なスリープ／アウェイク・サイクルと揃えることと、
を備える方法。
【請求項２】
前記揃えることは、Ｗｉ−Ｆｉダイレクト・グループ・オーナによって複数のアブセンス通知機能を実行することを備える、請求項１に記載の方法。
【請求項３】
前記揃えることは、Ｗｉ−Ｆｉダイレクト・グループ・オーナから複数のアブセンス通知機能を要求することを備える、請求項１に記載の方法。
【請求項４】
前記揃えることは、Ｗｉ−Ｆｉダイレクト・グループ・クライアントから複数のアブセンス通知機能を要求することを備える、請求項１に記載の方法。
【請求項５】
前記揃えることは、通信条件に少なくとも部分的に基づく、請求項１に記載の方法。
【請求項６】
無線通信のための装置であって、
第１のラジオ・アクセス技術（ＲＡＴ）と第２のＲＡＴとの通信間の干渉を識別する手段と、ここで、前記第１のＲＡＴは、ロング・ターム・イボリューション（ＬＴＥ）を備え、前記第２のＲＡＴは、Ｗｉ−Ｆｉダイレクト・モードで動作する無線ローカル・エリア・ネットワークを備える、
前記第１のＲＡＴの通信のためのフレーム・パターン・タイミングを決定する手段と、
前記第１のＲＡＴの通信のためのＬＴＥサブフレーム構成を決定する手段と、
前記第１のＲＡＴの通信のための前記フレーム・パターン・タイミングと、前記ＬＴＥサブフレーム構成とに少なくとも部分的に基づいて、アブセンス通知機能のパターンを決定する手段と、
前記アブセンス通知機能のパターンに基づいて、前記第２のＲＡＴの通信のための周期的なスリープ／アウェイク・パターンを決定する手段と、
前記第１のＲＡＴの通信のための前記フレーム・パターン・タイミングを、前記第２のＲＡＴの通信のための前記周期的なスリープ／アウェイク・サイクルと揃える手段と、
を備える装置。
【請求項７】
無線ネットワークにおける無線通信のためのコンピュータ・プログラム製品であって、
記録された非一時的なプログラム・コードを有するコンピュータ読取可能な媒体を備え、前記プログラム・コードは、
第１のラジオ・アクセス技術（ＲＡＴ）と第２のＲＡＴとの通信間の干渉を識別するためのプログラム・コードと、ここで、前記第１のＲＡＴは、ロング・ターム・イボリューション（ＬＴＥ）を備え、前記第２のＲＡＴは、Ｗｉ−Ｆｉダイレクト・モードで動作する無線ローカル・エリア・ネットワークを備える、
前記第１のＲＡＴの通信のためのフレーム・パターン・タイミングを決定するためのプログラム・コードと、
前記第１のＲＡＴの通信のためのＬＴＥサブフレーム構成を決定するためのプログラム・コードと、
前記第１のＲＡＴの通信のための前記フレーム・パターン・タイミングと、前記ＬＴＥサブフレーム構成とに少なくとも部分的に基づいて、アブセンス通知機能のパターンを決定するためのプログラム・コードと、
前記アブセンス通知機能のパターンに基づいて、前記第２のＲＡＴの通信のための周期的なスリープ／アウェイク・パターンを決定するためのプログラム・コードと、
前記第１のＲＡＴの通信のための前記フレーム・パターン・タイミングを、前記第２のＲＡＴの通信のための前記周期的なスリープ／アウェイク・サイクルと揃えるためのプログラム・コードと
を備えるコンピュータ・プログラム製品。
【請求項８】
無線通信のための装置であって、
メモリと、
前記メモリに接続された少なくとも１つのプロセッサとを備え、前記少なくとも１つのプロセッサは、
第１のラジオ・アクセス技術（ＲＡＴ）と第２のＲＡＴとの通信間の干渉を識別し、ここで、前記第１のＲＡＴは、ロング・ターム・イボリューション（ＬＴＥ）を備え、前記第２のＲＡＴは、Ｗｉ−Ｆｉダイレクト・モードで動作する無線ローカル・エリア・ネットワークを備える、
前記第１のＲＡＴの通信のためのフレーム・パターン・タイミングを決定し、
前記第１のＲＡＴの通信のためのＬＴＥサブフレーム構成を決定し、
前記第１のＲＡＴの通信のための前記フレーム・パターン・タイミングと、前記ＬＴＥサブフレーム構成とに少なくとも部分的に基づいて、アブセンス通知機能のパターンを決定し、
前記アブセンス通知機能のパターンに基づいて、前記第２のＲＡＴの通信のための周期的なスリープ／アウェイク・パターンを決定し、
前記第１のＲＡＴの通信のための前記フレーム・パターン・タイミングを、前記第２のＲＡＴの通信のための前記周期的なスリープ／アウェイク・サイクルと揃えるように構成された、装置。
【請求項９】
前記少なくとも１つのプロセッサは、Ｗｉ−Ｆｉダイレクト・グループ・オーナによる複数のアブセンス通知機能を実行することを揃えるように構成された、請求項８に記載の装置。
【請求項１０】
前記少なくとも１つのプロセッサは、Ｗｉ−Ｆｉダイレクト・グループ・オーナから複数のアブセンス通知機能を要求することによって揃えるように構成された、請求項８に記載の装置。
【請求項１１】
前記少なくとも１つのプロセッサは、Ｗｉ−Ｆｉダイレクト・グループ・クライアントから複数のアブセンス通知機能を要求することによって揃えるように構成された、請求項８に記載の装置。
【請求項１２】
前記少なくとも１つのプロセッサは、通信条件に少なくとも部分的に基づいて揃えるように構成された、請求項８に記載の装置。
【請求項１３】
前記揃えることは、前記第２のＲＡＴの通信を受信することとの干渉を引き起こす前記第１のＲＡＴの通信の送信に応じて、前記第１のＲＡＴのアップリンク通信を、前記第２のＲＡＴの通信のための前記周期的なスリープ／アウェイク・パターンのスリープ部分と揃えることを備える、請求項１に記載の方法。
【請求項１４】
前記揃えることは、前記第１のＲＡＴの通信を受信することとの干渉を引き起こす前記第２のＲＡＴの通信の送信に応じて、前記第１のＲＡＴのダウンリンク通信を、前記第２のＲＡＴの通信のための前記周期的なスリープ／アウェイク・パターンのスリープ部分と揃えることを備える、請求項１に記載の方法。
【請求項１５】
前記少なくとも１つのプロセッサは、前記第２のＲＡＴの通信を受信することとの干渉を引き起こす前記第１のＲＡＴの通信の送信に応じて、前記第１のＲＡＴのアップリンク通信を、前記第２のＲＡＴの通信のための前記周期的なスリープ／アウェイク・パターンのスリープ部分と揃えることによって、揃えるように構成された、請求項８に記載の装置。
【請求項１６】
前記少なくとも１つのプロセッサは、前記第１のＲＡＴの通信を受信することとの干渉を引き起こす前記第２のＲＡＴの通信の送信に応じて、前記第１のＲＡＴのダウンリンク通信を、前記第２のＲＡＴの通信のための前記周期的なスリープ／アウェイク・パターンのスリープ部分と揃えることによって、揃えるように構成された、請求項８に記載の装置。
【手続補正２】
【補正対象書類名】明細書
【補正対象項目名】００８５
【補正方法】変更
【補正の内容】
【００８５】
開示された態様の前述された説明は、いかなる当業者であっても、本開示を製造または使用できるように適用される。これらの態様へのさまざまな変形は、当業者に容易に明らかであって、本明細書で定義された一般原理は、本開示の精神または範囲から逸脱することなく、他の態様に適用されうる。このように、本開示は、本明細書で示された態様に限定されるものではなく、本明細書で開示された原理および新規な特徴と一致した最も広い範囲に相当することが意図されている。
以下に本願発明の当初の特許請求の範囲に記載された発明を付記する。
［Ｃ１］
無線通信のための方法であって、
第１のラジオ・アクセス技術（ＲＡＴ）の通信のためのタイミングを決定することと、
第２のＲＡＴの通信の非アクティブな部分を、前記第１のＲＡＴの通信のタイミングと揃えることと、
を備える方法。
［Ｃ２］
前記第１のＲＡＴは、ロング・ターム・イボリューション（ＬＴＥ）を備え、前記第２のＲＡＴは、Ｗｉ−Ｆｉダイレクト・モードで動作する無線ローカル・エリア・ネットワーク（ＷＬＡＮ）を備える、Ｃ１に記載の方法。
［Ｃ３］
前記揃えることは、前記第２のＲＡＴの通信を、アブセンス通知機能と揃えることを備える、Ｃ２に記載の方法。
［Ｃ４］
前記揃えることは、Ｗｉ−Ｆｉダイレクト・グループ・オーナによってアブセンス通知タイミングを実行することを備える、Ｃ１に記載の方法。
［Ｃ５］
前記揃えることは、Ｗｉ−Ｆｉダイレクト・グループ・オーナからアブセンス通知タイミングを要求することを備える、Ｃ１に記載の方法。
［Ｃ６］
前記揃えることは、Ｗｉ−Ｆｉダイレクト・グループ・クライアントからアブセンス通知タイミングを要求することを備える、Ｃ１に記載の方法。
［Ｃ７］
前記揃えることは、通信条件に少なくとも部分的に基づく、Ｃ１に記載の方法。
［Ｃ８］
前記揃えることは、第１のＲＡＴ構成に少なくとも部分的に基づく、Ｃ１に記載の方法。
［Ｃ９］
無線通信のための装置であって、
第１のラジオ・アクセス技術（ＲＡＴ）の通信のためのタイミングを決定する手段と、
第２のＲＡＴの通信の非アクティブな部分を、前記第１のＲＡＴの通信のタイミングと揃える手段と、
を備える装置。
［Ｃ１０］
前記揃える手段は、前記第２のＲＡＴの通信を、アブセンス通知機能と揃える手段を備える、Ｃ２１に記載の装置。
［Ｃ１１］
無線ネットワークにおける無線通信のためのコンピュータ・プログラム製品であって、
記録された非一時的なプログラム・コードを有するコンピュータ読取可能な媒体を備え、前記プログラム・コードは、
第１のラジオ・アクセス技術（ＲＡＴ）の通信のためのタイミングを決定するためのプログラム・コードと、
第２のＲＡＴの通信の非アクティブな部分を、前記第１のＲＡＴの通信のタイミングと揃えるためのプログラム・コードと
を備える、コンピュータ・プログラム製品。
［Ｃ１２］
前記揃えるためのプログラム・コードは、前記第２のＲＡＴの通信を、アブセンス通知機能と揃えるためのプログラム・コードを備える、Ｃ１１に記載のコンピュータ・プログラム製品。
［Ｃ１３］
無線通信のための装置であって、
メモリと、
前記メモリに接続された少なくとも１つのプロセッサとを備え、前記少なくとも１つのプロセッサは、
第１のラジオ・アクセス技術（ＲＡＴ）の通信のためのタイミングを決定し、
第２のＲＡＴの通信の非アクティブな部分を、前記第１のＲＡＴの通信のタイミングと揃えるように構成された、装置。
［Ｃ１４］
前記第１のＲＡＴは、ロング・ターム・イボリューション（ＬＴＥ）を備え、前記第２のＲＡＴは、Ｗｉ−Ｆｉダイレクト・モードで動作する無線ローカル・エリア・ネットワーク（ＷＬＡＮ）を備える、Ｃ２１に記載の装置。
［Ｃ１５］
前記少なくとも１つのプロセッサは、前記第２のＲＡＴの通信を、アブセンス通知機能と揃えるように構成された、Ｃ２１に記載の装置。
［Ｃ１６］
前記少なくとも１つのプロセッサは、Ｗｉ−Ｆｉダイレクト・グループ・オーナによるアブセンス通知タイミングを実行することを揃えるように構成された、Ｃ２１に記載の装置。
［Ｃ１７］
前記少なくとも１つのプロセッサは、Ｗｉ−Ｆｉダイレクト・グループ・オーナからアブセンス通知タイミングを要求することによって揃えるように構成された、Ｃ２１に記載の装置。
［Ｃ１８］
前記少なくとも１つのプロセッサは、Ｗｉ−Ｆｉダイレクト・グループ・クライアントからアブセンス通知タイミングを要求することによって揃えるように構成された、Ｃ２１に記載の装置。
［Ｃ１９］
前記少なくとも１つのプロセッサは、通信条件に少なくとも部分的に基づいて揃えるように構成された、Ｃ２１に記載の装置。
［Ｃ２０］
前記少なくとも１つのプロセッサは、第１のＲＡＴ構成に少なくとも部分的に基づいて揃えるように構成された、Ｃ２１に記載の装置。